(57)【要約】【課題】反応容器からあふれた反応液や洗浄液の拡散を防止した分析装置を提供すること。【解決手段】本発明にかかる分析装置は、回転テーブル６に収納された反応容器７内の反応液における光学的特性を測定して反応液を分析する分析装置１において、光学的特性の測定が終了した反応容器７に洗浄液を注入および吸引して該反応容器を洗浄する洗浄装置１１と、回転テーブル６に収納された各反応容器７の開口部分に対応して設けられた開口部２１ｂと、開口部２１ｂを介して反応容器７からあふれた反応液および洗浄液を反応容器の外壁よりも外側に向かって導く流路とを有し、反応容器７の開口部分を構成する反応容器の側壁上面と密着する蓋２１と、蓋２１における流路が導いた反応液および洗浄液を蓋の外部に排出する排出溝２２と、を備えたことを特徴とする。【選択図】        図４
2008058250.tif 000002
【特許請求の範囲】
【請求項１】
収納手段に収納された反応容器内の反応液における光学的特性を測定して前記反応液を分析する分析装置において、
前記光学的特性の測定が終了した前記反応容器に洗浄液を注入および吸引して該反応容器を洗浄する洗浄手段と、
前記収納手段に収納された反応容器の開口部分に対応して設けられた開口領域と、前記開口領域を介して前記反応容器からあふれた前記反応液および前記洗浄液を前記反応容器の外壁よりも外側に向かって導く流路とを有し、前記反応容器の開口部分を構成する反応容器の側壁上面と密着する蓋と、
前記蓋における流路が導いた前記反応液および前記洗浄液を前記蓋の外部に排出する排出手段と、
を備えたことを特徴とする分析装置。
【請求項２】
前記蓋は、各開口領域の間に仕切りを設けて前記流路を形成することを特徴とする請求項１に記載の分析装置。
【請求項３】
前記蓋は、前記排出手段側に位置する領域に下方に向かう傾斜を設けて前記流路を形成することを特徴とする請求項１または２に記載の分析装置。
【請求項４】
前記蓋は、前記反応容器の開口部分を構成する反応容器の側壁上面と当該蓋下面との間を密閉する弾性体を備えたことを特徴とする請求項１〜３のいずれか一つに記載の分析装置。
【請求項５】
前記蓋は、前記反応容器からあふれた前記反応液および前記洗浄液を溜める凹部を設けて前記流路を形成することを特徴とする請求項１〜４のいずれか一つに記載の分析装置。
【請求項６】
前記排出手段は、前記収納手段の外側に設けられ、前記蓋の前記流路によって導かれた前記反応液および前記洗浄液を前記蓋の外部に排出する排出溝であり、
前記蓋における流路は、前記反応容器からあふれた前記反応液および前記洗浄液を前記排出溝に導くことを特徴とする請求項１〜５のいずれか一つに記載の分析装置。
【請求項７】
前記排出手段は、前記凹部に溜まった前記反応液および前記洗浄液を吸引し、吸引した前記反応液および前記洗浄液を前記蓋の外部に排出する吸引装置であることを特徴とする請求項５に記載の分析装置。
【請求項８】
前記凹部に前記反応液および前記洗浄液が溜まったか否かを検出する検出手段と、
前記検出手段が前記凹部に前記反応液および前記洗浄液が溜まったことを検出した場合に、前記反応容器から前記反応液および前記洗浄液があふれたことを示す警告を出力する出力手段と、
を備えたことを特徴とする請求項５〜７のいずれか一つに記載の分析装置。
【請求項９】
前記吸引装置は、前記検出手段が前記凹部に前記反応液および前記洗浄液が溜まったことを検出した場合に、前記凹部に溜まった前記反応液および前記洗浄液を吸引して前記蓋の外部に排出することを特徴とする請求項８に記載の分析装置。
【請求項１０】
前記収納手段は、所定数の反応容器を収納するとともに当該分析装置に着脱可能である複数の収納ユニットによって構成され、
前記蓋は、前記収納ユニットに対応する大きさを有する複数の蓋ユニットによって構成されることを特徴とする請求項１〜９のいずれか一つに記載の分析装置。
【発明の詳細な説明】
【技術分野】
【０００１】
この発明は、反応容器に収容された反応液の光学的特性を測定して反応液を分析する分析装置に関する。
【背景技術】
【０００２】
従来、人体の血液や尿などを含む反応液の光学的特性を測定して反応液を分析する分析装置においては、反応容器が保持した試薬と検体とを所定温度のもとで反応させるため、回転テーブル内に収納された各反応容器内の反応液を保温する恒温槽を備える。この恒温槽として、所定温度の恒温液を封入した熱伝導槽またはヒーターを設けた熱伝導層を、回転テーブル内に収容された各反応容器周囲に設けて反応容器内の反応液を保温するドライバス形式の恒温槽が提案されている（たとえば、特許文献１参照）。また、所定温度の恒温液を収容および循環し、この恒温液中に反応容器を直接浸漬して反応容器内の反応液を保温するウォーターバス形式の恒温槽が提案されている（たとえば、特許文献２参照）。
【０００３】
【特許文献１】特開昭６３−１８６１２９号公報
【特許文献２】特開平４−２５８７６７号公報
【発明の開示】
【発明が解決しようとする課題】
【０００４】
ところで、このような分析装置は、分析が終了した反応容器を洗浄し反応容器を繰り返し使用している。具体的には、分析装置は、ノズルによって、測定が終了した反応容器内の反応液を吸引して排出するとともに、洗剤や洗浄水等の洗浄液を注入および吸引して排出することで反応容器の洗浄を行っている。
【０００５】
しかしながら、従来においては、洗浄時に吸引用のノズルが詰まった場合、反応液や洗浄液を吸引できず反応容器からあふれ出てしまい、あふれた反応液や洗浄液が反応容器を収納した回転テーブル内や回転テーブル周囲に入り込んでしまっていた。この場合、ドライバス形式の恒温槽においては、反応容器からあふれた反応液や洗浄液が反応容器周囲に侵入し、反応容器表面に曇りが発生して測光できなくなるという問題があった。また、ウォーターバス形式の恒温槽においては、反応容器からあふれた反応液や洗浄液が恒温槽内の恒温液に混入してしまい、恒温槽内の恒温液が汚染され、測光精度が低化するという問題があった。
【０００６】
本発明は、上記に鑑みてなされたものであって、反応容器からあふれた反応液や洗浄液の拡散を防止した分析装置を提供することを目的とする。
【課題を解決するための手段】
【０００７】
上述した課題を解決し、目的を達成するために、この発明にかかる分析装置は、収納手段に収納された反応容器内の反応液における光学的特性を測定して前記反応液を分析する分析装置において、前記光学的特性の測定が終了した前記反応容器に洗浄液を注入および吸引して該反応容器を洗浄する洗浄手段と、前記収納手段に収納された反応容器の開口部分に対応して設けられた開口領域と、前記開口領域を介して前記反応容器からあふれた前記反応液および前記洗浄液を前記反応容器の外壁よりも外側に向かって導く流路とを有し、前記反応容器の開口部分を構成する反応容器の側壁上面と密着する蓋と、前記蓋における流路が導いた前記反応液および前記洗浄液を前記蓋の外部に排出する排出手段と、を備えたことを特徴とする。
【０００８】
また、この発明にかかる分析装置は、前記蓋は、各開口領域の間に仕切りを設けて前記流路を形成することを特徴とする。
【０００９】
また、この発明にかかる分析装置は、前記蓋は、前記排出手段側に位置する領域に下方に向かう傾斜を設けて前記流路を形成することを特徴とする。
【００１０】
また、この発明にかかる分析装置は、前記蓋は、前記反応容器の開口部分を構成する反応容器の側壁上面と当該蓋下面との間を密閉する弾性体を備えたことを特徴とする。
【００１１】
また、この発明にかかる分析装置は、前記蓋は、前記反応容器からあふれた前記反応液および前記洗浄液を溜める凹部を設けて前記流路を形成することを特徴とする。
【００１２】
また、この発明にかかる分析装置は、前記排出手段は、前記収納手段の外側に設けられ、前記蓋の前記流路によって導かれた前記反応液および前記洗浄液を前記蓋の外部に排出する排出溝であり、前記蓋における流路は、前記反応容器からあふれた前記反応液および前記洗浄液を前記排出手段に導くことを特徴とする。
【００１３】
また、この発明にかかる分析装置は、前記排出手段は、前記凹部に溜まった前記反応液および前記洗浄液を吸引し、吸引した前記反応液および前記洗浄液を前記蓋の外部に排出する吸引装置であることを特徴とする。
【００１４】
また、この発明にかかる分析装置は、前記凹部に前記反応液および前記洗浄液が溜まったか否かを検出する検出手段と、前記検出手段が前記凹部に前記反応液および前記洗浄液が溜まったことを検出した場合に、前記反応容器から前記反応液および前記洗浄液があふれたことを示す警告を出力する出力手段と、を備えたことを特徴とする。
【００１５】
また、この発明にかかる分析装置は、前記吸引装置は、前記検出手段が前記凹部に前記反応液および前記洗浄液が溜まったことを検出した場合に、前記凹部に溜まった前記反応液および前記洗浄液を吸引して前記蓋の外部に排出することを特徴とする。
【００１６】
また、この発明にかかる分析装置は、前記収納手段は、所定数の反応容器を収納するとともに当該分析装置に着脱可能である複数の収納ユニットによって構成され、前記蓋は、前記収納ユニットに対応する大きさを有する複数の蓋ユニットによって構成されることを特徴とする。
【発明の効果】
【００１７】
本発明にかかる分析装置は、反応容器からあふれた反応液および洗浄液を反応容器の外壁よりも外側に向かって導く流路を有する蓋と、蓋における流路が導いた反応液および洗浄液を蓋の外部に排出する排出手段とを備えることによって、反応容器からあふれた反応液および洗浄液の拡散を防止することが可能になる。
【発明を実施するための最良の形態】
【００１８】
以下、図面を参照して、この発明の実施の形態である分析装置について説明する。なお、この実施の形態によりこの発明が限定されるものではない。また、図面の記載において、同一部分には同一の符号を付している。
【００１９】
（実施の形態１）
まず、実施の形態１について説明する。図１は、実施の形態１にかかる分析装置の概略構成図である。図１に示すように、実施の形態１にかかる分析装置１は、作業テーブル２上に検体テーブル３、検体分注機構５、回転テーブル６、測光装置１０、洗浄装置１１、試薬分注機構１２、試薬テーブル１３、攪拌装置２０、内蓋２１および排水溝２２が設けられている。そして、分析対象である検体および検体の分析に使用される試薬は、反応容器７（図２参照）内に収容される。
【００２０】
検体テーブル３は、図１に示すように、駆動手段によって矢印で示す方向に回転され、外周には周方向に沿って等間隔で配置される収納室３ａが複数設けられている。各収納室３ａは、検体を収容した検体容器４が着脱自在に収納される。
【００２１】
検体分注機構５は、回転テーブル６に保持された複数の反応容器７に検体を分注する手段であり、図１に示すように、検体テーブル３の複数の検体容器４から検体を順次反応容器７に分注する。
【００２２】
回転テーブル６は、検体テーブル３とは異なる駆動手段によって、図１に矢印で示す方向に回転され、外周には試薬や検体等を含む液体を保持した反応容器７を個々に収納する複数のホルダが周方向に沿って等間隔で天板６ｂに設けられている。複数のホルダ６a（図3、図4参照）が周方向に沿って等間隔で天板６bに着脱自在に設けられている。当該ホルダ６aは、適宜の連結板６fにより複数個連結された状態で天板６bに保持されているが、個々単独に天板６bに保持されていても良い。また、上記ホルダ６aの内壁の一部には弾性体６eが固着されており、収納された反応容器７が安易にホルダ６aから離脱しないよう保持されている。当該反応容器７は、ホルダ６aから上方へ手指により引き出すあるいはホルダ６aの底面に設けられた図示しない貫通孔から適宜の棒部材で上方へ突き出す等の動作によりホルダから取り出すことができるようになっている。回転テーブル６は、一周期で時計方向に（１周−１反応容器）／４分回転し、四周期で反時計方向にホルダの１個分回転する。回転テーブル６の外周近傍には、測光装置１０、洗浄装置１１及び攪拌装置２０が配置されている。回転テーブル６の上方には、図示しない開閉自在な外蓋が設けられている。また、回転テーブル６の下方には、後述する恒温槽がホルダ６aと所定の空隙を介して周方向に設けられている。このため、回転テーブル６内に反応容器７が収納され、外蓋が閉じられた場合、反応容器７内に収容された反応液を恒温状態に保つことができる。
【００２３】
回転テーブル６上には、外蓋の他に内蓋２１が設けられている。内蓋２１は、少なくとも反応容器７を覆うように、回転テーブル６内に収納された反応容器７上部から回転テーブル６端部にかけて周方向に設けられている。内蓋２１の下面は、反応容器７の開口部を構成する側壁上面と密着する。そして、内蓋２１は、回転テーブル６に収納された各反応容器７の開口部分に対応して設けられた開口部２１ｂと、開口部２１ｂを介して反応容器７からあふれた反応液および洗浄液を反応容器７の外壁よりも外側に向かって導く流路を有する。なお、検体および試薬を収容する反応容器７は、開口部２１ｂ下方において回転テーブル６内に収納されている。
【００２４】
回転テーブル６の外側には周方向に排水溝２２が設けられている。排水溝２２は、内蓋２１における流路が導いた反応液および洗浄液を内蓋２１の外部に排出する。内蓋２１および排水溝２２は、反応容器７からあふれた反応液および洗浄液による回転テーブル６内および回転テーブル周囲への入り込みを防止している。
【００２５】
測光装置１０は、図１に示すように、回転テーブル６の外周近傍に配置され、反応容器７に保持された液体を分析する分析光（３４０〜８００ｎｍ）を出射する光源と、液体を透過した分析光を分光して受光する受光器とを有している。測光装置１０は、前記光源と受光器が回転テーブル６のホルダを挟んで半径方向に対向する位置に配置されている。
【００２６】
洗浄装置１１は、ノズル１１ａ，１１ｂ（図２参照）によって、測光装置１０による測定が終了した反応容器７内の反応液を吸引して排出するとともに、洗剤や洗浄水等の洗浄液を注入および吸引することで反応容器７の洗浄を行う。洗浄装置１１は、測光終了後の反応容器７から測光後の反応液を排出した後、洗浄液を分注する。そして、洗浄装置１１は、洗浄液の分注と排出の動作を複数回繰り返すことにより、反応容器７の内部を洗浄する。このようにして洗浄された反応容器７は、再度、新たな検体の分析に使用される。
【００２７】
試薬分注機構１２は、回転テーブル６に保持された複数の反応容器７に試薬を分注する手段であり、図１に示すように、試薬テーブル１３の所定の試薬容器１４から試薬を順次反応容器７に分注する。
【００２８】
試薬テーブル１３は、検体テーブル３及び回転テーブル６とは異なる駆動手段によって図１に矢印で示す方向に回転され、扇形に成形された収納室１３ａが周方向に沿って複数設けられている。各収納室１３ａは、試薬容器１４が着脱自在に収納される。複数の試薬容器１４は、それぞれ検査項目に応じた所定の試薬が満たされ、外面には収容した試薬に関する情報を記録する情報媒体（図示せず）が貼付されている。
【００２９】
試薬テーブル１３の外周には、図１に示すように、試薬容器１４に貼付した情報媒体に記録された試薬の種類，ロット及び有効期限等の情報を読み取り、制御部１６へ出力する読取装置１５が設置されている。
【００３０】
制御部１６は、検体テーブル３、検体分注機構５、回転テーブル６、測光装置１０、洗浄装置１１、試薬分注機構１２、試薬テーブル１３、読取装置１５、分析部１７、入力部１８、表示部１９及び攪拌装置２０等と接続され、たとえば、分析結果を記憶する記憶機能を備えたマイクロコンピュータ等が使用される。制御部１６は、分析装置１の各部の作動を制御するとともに、情報媒体の記録から読み取った情報に基づき、試薬のロットや有効期限等が設置範囲外の場合、分析作業を停止するように分析装置１を制御し、或いはオペレータに警告を発する機能を備えている。
【００３１】
分析部１７は、制御部１６を介して測光装置１０に接続され、受光器が受光した光量に基づく反応容器７内の液体の吸光度から検体の成分濃度等を分析し、分析結果を制御部１６に出力する。入力部１８は、制御部１６へ検査項目等を入力する操作を行う部分であり、例えば、キーボードやマウス等が使用される。表示部１９は、分析内容，分析結果あるいは警告等を表示するもので、ディスプレイパネル等が使用される。攪拌装置２０は、反応容器７に保持された液体を攪拌する装置であり、攪拌棒によって直接液体を攪拌するものや音波によって非接触で液体を攪拌するものがある。
【００３２】
以上のように構成される分析装置１は、回転する回転テーブル６によって周方向に沿って搬送されてくる複数の反応容器７に試薬分注機構１２が試薬容器１４から試薬を順次分注する。試薬が分注された反応容器７は、回転テーブル６によって周方向に沿って搬送され、検体分注機構５によって検体テーブル３に保持された複数の検体容器４から検体が順次分注される。
【００３３】
そして、検体が分注された反応容器７は、回転テーブル６によって攪拌装置２０へ搬送され、分注された試薬と検体が順次攪拌されて反応する。このようにして検体と試薬が反応した反応液を保持した反応容器７は、回転テーブル６が再び回転したときに測光装置１０を通過し、光源から出射された分析光の光束が透過する。このとき、反応液を透過した光束は、受光部で測光され、分析部１７によって成分濃度等が分析される。そして、分析が終了した反応容器７は、洗浄装置１１によって洗浄された後、再度検体の分析に使用される。分析装置１は、このような一連の動作を制御部１６の制御の下に自動で実行する。
【００３４】
つぎに、図２〜図５を参照して、図１に示す回転テーブル６、内蓋２１および排水溝２２について説明する。図２は、図１に示す分析装置の回転テーブル、洗浄装置、内蓋および排水溝を拡大した平面図である。図３は、図１および図２に示す回転テーブルおよび内蓋の一部を拡大して示す斜視図である。図４は、図２に示すＸ１−Ｘ１線に沿った断面図である。図５は、図１に示す内蓋および排水溝の一部を拡大して示す平面図である。
【００３５】
図２、図３および図５に示すように、回転テーブル６上に設けられた内蓋２１には、内蓋２１の各開口部２１ｂの間に仕切り２１ａが設けられている。そして、図２および図４に示すように、回転テーブル６の下方および外周にかけて設けられた排水溝２２には、排水溝２２に流入した反応液および洗浄液を、接続するチューブ２２ｂを介して外部に排出する排水口２２ａが設けられている。また、図２および図４に示すように、洗浄装置１１は、反応容器７内の液体を吸引するノズル１１ａと反応容器７内に洗浄液１１ｃを注入するノズル１１ｂとを有する。
【００３６】
図３および図４に示すように、内蓋２１は、天板６ｂと反応容器７とにおける開口部分に開口部２１ｂが重なるように、ねじ穴２１ｄを介して挿通されるねじ２１ｅによって天板６ｂにおけるねじ穴６ｄにねじ締結されて天板６ｂに固定される。このため、内蓋２１は、天板６ｂと一体となって回転することとなる。また、図４に示すように、内蓋２１は、天板６ｂおよび反応容器７における開口部分に開口部２１ｂが重なるように天板６ｂに固定される。このため、反応容器７における開口部分上に重なる開口部２１ｂおよび天板６ｂの開口部を介して、検体分注機構５におけるノズル、試薬分注機構１２におけるノズルおよび洗浄装置１１におけるノズル１１ａ，１１ｂの反応容器７内への挿脱が可能となる。したがって、検体分注機構５、試薬分注機構１２および洗浄装置１１は、反応容器７内へ検体、試薬および洗浄液を注入することができる。
【００３７】
そして、図３および図４に示すように、内蓋２１においては、各開口部２１ｂの間を仕切る仕切り２１ａとともに、領域Ｓｈに、各仕切り２１ａの天板６ｂ中心側の端部に接触する壁が周方向に設けられる。仕切り２１ａと領域Ｓｈの壁との高さは、反応容器７からあふれた反応液および洗浄液が、隣り合う反応容器７に侵入しないように、反応容器７に収容される反応液および反応容器７内に注入される洗浄液の容量をもとに設定される。さらに、図３〜図５に示すように、内蓋２１においては、排水溝２２側に位置する外周の領域Ｓｐに、下方に向かう傾斜が設けられている。
【００３８】
また、分析装置１は、図４に示すように、天板６ｂの下方に、反応容器７の側壁から底壁にかけて所定の空隙Ｓを介して反応容器７を囲む恒温槽６ｃが周方向に設けられている。恒温槽６ｃは、熱伝導率の高い部材で構成された外壁６ｃ１、内壁６ｃ２とこの内部に貯留された恒温液６ｃ３からなり、図示しないヒーターによる熱を反応容器７に伝導して、反応容器７内の反応液を所定温度に保持する。
【００３９】
ここで、分析装置１において、洗浄時に吸引用のノズル１１ｂが詰まって反応液や洗浄液を吸引できず反応容器７から反応液や洗浄液があふれ出てしまった場合について、図４および図５を参照して説明する。図４および図５において、反応容器７からあふれ出た反応液および洗浄液は、開口部２１ｂを介して内蓋２１上にあふれ出る。開口部２１ｂからあふれ出た反応液および洗浄液は、領域Ｓｈの壁に阻まれることによって、矢印Ｙａに示すように、内蓋２１の内周側ではなく内蓋２１の外周側に流れ出る。また、内蓋２１には開口部２１ｂ間に仕切り２１ａが設けられているため、図５に示す矢印Ｙｄに示すように、図５に示す反応容器７ａからあふれ出た反応液および洗浄液は、仕切り２１ａに阻害されて、隣り合う反応容器７ｂ内に侵入することがない。そして、反応容器７ａからあふれ出た反応液および洗浄液は、矢印Ｙｂに示すように、領域Ｓｐの傾斜によって、内蓋２１の外周側から排水溝２２内に流れ落ち、矢印Ｙｃに示すように、排水溝２２における排水口２２ａからチューブ２２ｂを介して外部に排出される。
【００４０】
このように、内蓋２１においては、仕切り２１ａ、壁が設けられた領域Ｓｈおよび傾斜が設けられた領域Ｓｐが、反応容器７からあふれた反応液および洗浄液を反応容器７の外壁よりも外側に向かって導く流路を形成している。そして、内蓋２１における流路によって導かれた反応液および洗浄液は、排出溝２２によって外部に輩出される。
【００４１】
従来においては、反応液や洗浄液が反応容器からあふれ出てしまった場合、回転テーブル内や回転テーブル周囲に入り込んでしまっていた。このため、図６に示すようにドライバス形式の恒温槽においては、矢印Ｙｆに示すように反応容器７からあふれた反応液や洗浄液１１ｃが、矢印Ｙｇに示すように反応容器７周囲に侵入してしまい、洗浄液１１ｃが反応容器表面に付着して反応容器表面に曇り７ｃが発生していた。また、図７に示すようにウォーターバス形式の恒温槽においては、矢印Ｙｈに示すように、反応容器７からあふれた反応液や洗浄液１１ｃが恒温槽内の恒温液１０６ｃ内に混入してしまい、恒温液１０６ｃが汚染されてしまっていた。この結果、測光装置１０における光源１０ａから発せられた光は、曇り７ｃまたは恒温液１０６ｃの汚染のために反応容器７内の反応液Ｌに十分に入射されない上に液体Ｌを通過した通過光Ｐの光量も低下してしまう。このため、従来の分析装置においては、反応容器７内の反応液Ｌを通過する光の受光量を正確に測定することができず、精度の高い分析を行うことができなかった。
【００４２】
これに対し、本実施の形態１にかかる分析装置１においては、仕切り２１ａ、壁が設けられた領域Ｓｈおよび傾斜が設けられた領域Ｓｐによって形成される流路を有する内蓋２１と排水溝２２とを備えることによって、反応容器７からあふれた反応液および洗浄液を決められた経路で外部に排出して反応容器７からあふれた反応液および洗浄液の拡散を防止している。このため、反応容器７からの反応液および洗浄液のあふれによる分析装置に対する被害を最小限に抑えることができる。具体的には、分析装置１においては、反応容器７からあふれた反応液や洗浄液が回転テーブル内や回転テーブル周囲に入り込まないため、反応容器７の曇りや恒温液の汚染が発生しない。この結果、分析装置１においては、反応容器７の曇りや恒温液の汚染に起因する反応液の通過光の光量低下を防止して、測光装置１０において反応容器７内の反応液を通過した光の受光量を正確に測定できるため、精度の高い分析を行うことが可能になる。
【００４３】
なお、本実施の形態１においては、内蓋として、仕切り２１ａと領域Ｓｐにおける傾斜との双方を設けた場合について説明したが、これに限らず、仕切り２１ａのみを設けてもよい。仕切り２１ａによって、反応容器７からあふれた反応液および洗浄液が、隣り合う反応容器７内に侵入することなく排出溝２２に向かって流れ出ることができるためである。また、内蓋２１外周の領域Ｓｐに傾斜を設けた場合について説明したが、もちろん、内蓋２１の壁が設けられた領域Ｓｈよりも外側に位置する領域全てに下方に向かう傾斜を設けて反応容器７からあふれた反応液および洗浄液の排水溝２２への導きを円滑に行ってもよい。
【００４４】
（実施の形態２）
つぎに、実施の形態２について説明する。図８は、実施の形態２にかかる分析装置の回転テーブル、洗浄装置、内蓋および排水溝を拡大した平面図である。実施の形態２にかかる分析装置は、図８に示すように、図１および図２に示す分析装置１における内蓋２１に代えて、内蓋２２１を有する。なお、実施の形態２にかかる分析装置は、図１に示す分析装置１と同様の構成を有する。
【００４５】
つぎに、図９を参照して、図８に示す内蓋２２１について説明する。図９は、図８に示すＸ２−Ｘ２線に沿った断面図である。図９に示すように、内蓋２２１は、反応容器７の開口部分を構成する反応容器の側壁上面および天板、ホルダ６ａの側壁上面の開口部周囲の上面と蓋２２１の下面との間を密閉する弾性体２２１ｆを有する。図１０に、図９に示す弾性体の平面図を示す。図１０に示すように、弾性体２２１ｆは、反応容器７の開口部形状に対応して矩形の開口部を有し、反応容器７の側壁と天板６ｂにおける反応容器７を収納するホルダ６ａとの間を塞いでいる。弾性体２２１ｆは、弾性を有する樹脂などによって形成される。なお、内蓋２２１は、天板６ｂおよび反応容器７における開口部分と開口部２１ｂが重なるように設けられており、開口部２１ｂおよび天板６ｂの開口部を介して、洗浄装置１１におけるノズル１１ａ，１１ｂの反応容器７内への挿脱が可能となる。
【００４６】
そして、内蓋２２１が天板６ｂにねじ２１ｅによってねじ締結された場合、弾性体２２１ｆの上面と内蓋２２１の開口部２１ｂ周囲の下面とが密着し、弾性体２２１ｆの下面と反応容器７の側壁上面、天板６ｂの開口部周囲の上面とが密着する。このため、弾性体２２１ｆは、反応容器７の側壁上面および天板６ｂの開口部周囲の上面と蓋２２１の下面との間を密閉する。したがって、反応容器７からあふれた反応液および洗浄液は、弾性体２２１ｆによる密閉によって、反応容器７の側壁上面と内蓋２２１との間、および、反応容器７側壁とホルダ６ａとの間のいずれにも侵入することがない。この結果、図９に示す矢印Ｙａおよび矢印Ｙｂに示すように、反応容器７からあふれた反応液および洗浄液を、内蓋２２１における仕切り２１ａ、壁が設けられた領域Ｓｈおよび傾斜が設けられた領域Ｓｐによって形成される流路から排出溝２２に確実に流し入れることができ、矢印Ｙｃに示すように外部に確実に排出することができる。
【００４７】
このように、実施の形態２においては、反応容器７の開口部分を構成する反応容器の側壁上面および天板６ｂの開口部周囲の上面と内蓋２２１下面との間を密閉する弾性体２２１ｆを設けた内蓋２２１を備えることによって、実施の形態１と同様の効果を奏するとともに、反応容器７からあふれた反応液および洗浄液を確実に外部に排出することができる。
【００４８】
なお、実施の形態２にかかる弾性体は、図１０に示す弾性体２２１ｆに限らない。反応容器７からあふれた反応液および洗浄液による反応容器７と内蓋２２１との間の侵入を防止するには、弾性体は、反応容器７の開口部分を構成する反応容器の側壁上面と内蓋２２１下面との間を密閉すれば足りる。このため、図１１に示すように、環状の弾性体２２１ｆａであってもよく、図１２に示すように、開口部が反応容器７の開口部よりも小さい弾性体２２１ｆｂであってもよい。
【００４９】
（実施の形態３）
つぎに、実施の形態３について説明する。図１３は、実施の形態３にかかる分析装置の概略構成図である。図１３に示すように、実施の形態３にかかる分析装置３０１は、図１に示す内蓋２１に代えて、内蓋３２１を備える。また、分析装置３０１は、図１に示す分析装置１と比して、さらに検出装置３２３を備えた構成を有する。なお、制御部１６は、検出装置３２３の制御も行う。
【００５０】
つぎに、図１４〜図１６を参照して、内蓋３２１および検出装置３２３について説明する。図１４は、図１３に示す分析装置の回転テーブル、洗浄装置、内蓋、排水溝および検出装置を拡大した平面図である。図１５は、図１４に示すＸ３−Ｘ３線に沿った断面図である。図１５には、説明のため、検出装置３２３、制御部１６および表示部１９についても記載する。図１６は、図１４に示すＸ４−Ｘ４線に沿った断面図である。
【００５１】
図１４および図１５に示すように、内蓋３２１は、実施の形態１にかかる内蓋２１に比して、蓋部３２１ｃの外周領域Ｐｇに周方向に形成された凹部３２１ｇを有する。反応容器７から開口部２１ｂを介して内蓋３２１上にあふれた反応液や洗浄液は、領域Ｓｈの壁に阻まれることによって、内蓋３２１の内周側ではなく内蓋３２１の外周側に流れる。そして、反応容器７からあふれた反応液や洗浄液は、仕切り２１ａに阻害されて隣り合う反応容器７内に侵入することなく、図１５の矢印Ｙｉに示すように、凹部３２１ｇ内に導かれる。
【００５２】
さらに、図１４および図１６に示すように、内蓋３２１は、凹部３２１ｇの一部と内蓋３２１の外端とに接続する溝３２１ｈを有する。図１６の矢印Ｙｊに示すように、外周領域Ｐｇの凹部３２１ｇに溜まった反応液および洗浄液は、溝３２１ｈに流れ込み、矢印Ｙｋに示すように、排水溝２２に流れ落ちる。そして、反応液および洗浄液は、矢印Ｙｃに示すように、排水溝２２における排水口２２ａからチューブ２２ｂを介して外部に排出される。
【００５３】
このように、内蓋３２１においては、仕切り２１ａと壁が設けられた領域Ｓｈとともに、外周領域Ｐｇに設けられた凹部３２１ｇおよび溝３２１ｈが、反応容器７からあふれた反応液および洗浄液を内蓋３２１の外部に位置する排水溝２２に導く流路を形成している。
【００５４】
また、図１４および図１５に示すように、検出装置３２３は、電極３２３ａ，３２３ｂを有する。電極３２３ａ，３２３ｂの各一端は、凹部３２１ｇ内に配置され、電極３２３ａ，３２３ｂの各他端は、検出装置３２３に接続する。凹部３２１ｇ内に、反応容器７からあふれた反応液および洗浄液が溜まった場合、電極３２３ａおよび電極３２３ｂは、凹部３２１ｇに溜まった液体を介して接続する。電極３２３ａが入力電極であり電極３２３ｂが出力電極である場合、検出装置３２３から電極３２３ａに入力された電気信号は、液体を介して電極３２３ｂに送信された後、電極３２３ｂから検出装置３２３に出力される。したがって、検出装置３２３は、電極３２３ａに入力した電気信号が電極３２３ｂから出力された場合、凹部３２１ｇに反応液および洗浄液が溜まり反応容器７から反応液および洗浄液があふれたことを検出する。一方、検出装置３２３は、電極３２３ａに入力した電気信号が電極３２３ｂから出力されない場合、凹部３２１ｇに反応液および洗浄液が溜まっておらず反応容器７から反応液および洗浄液があふれていないことを検出する。検出装置３２３は、検出結果を制御部１６に出力する。
【００５５】
つぎに、分析装置３０１において、反応容器から反応液および洗浄液があふれた場合の処理手順について、図１７を参照して説明する。まず、図１７に示すように、制御部１６７は、検出装置３２３が反応容器７からの反応液および洗浄液のあふれを検出したか否かを判断する（ステップＳ２）。制御部１６は、検出装置３２３が反応容器７からの反応液および洗浄液のあふれを検出するまでステップＳ２の判断を繰り返す。そして、検出装置３２３が反応容器７からの反応液および洗浄液のあふれを検出したと判断した場合（ステップＳ２：Ｙｅｓ）、表示部１９に対して、反応容器から反応液および洗浄液があふれたことを示す警告を表示出力させる。表示部１９は、制御部１６の制御のもと、反応容器から反応液および洗浄液があふれたことを示す警告を表示出力する警告処理を行う（ステップＳ４）。なお、制御部１６は、ステップＳ４終了後、ステップＳ２に戻り、ステップＳ２における判断処理を行ってもよい。
【００５６】
このように、実施の形態３にかかる分析装置３０１は、仕切り２１ａ、壁が設けられた領域Ｓｈ、凹部３２１ｇおよび溝３２１ｈによって形成される流路を有する内蓋３２１を備えることによって、反応容器７からあふれた反応液および洗浄液を排水溝２２を介して外部に排出することができるため、実施の形態１と同様の効果を奏する。
【００５７】
さらに、分析装置３０１は、簡便な電極方式で反応液および洗浄液のあふれを検出できる検出装置３２３を備え、検出装置３２３が反応容器７からの反応液および洗浄液のあふれを検出したと判断した場合には所定の警告を出力する。このため、分析装置３０１の操作者は、洗浄装置１１におけるノズル１１ａ，１１ｂに異常が発生した旨を即時に認識することができ、洗浄装置１１の異常に迅速に対応することが可能になる。
【００５８】
なお、実施の形態３においては、検出装置３２３として、電極３２３ａ，３２３ｂを有する装置について説明したが、これに限らず、凹部３２１ｇに溜まった液体の有無を検出できるセンサであればよい。また、実施の形態３においては、溝３２１ｈを、蓋３２１の外周領域の４箇所に設けた場合について説明したが、もちろん、１箇所のみに設けてもよく、４箇所以上設けてもよく、また、洗浄装置１１近傍のみに設けてもよく、凹部３２１ｇに溜まった反応容器７からあふれた反応液および洗浄液を排出溝２２に流し入れることができれば足りる。
【００５９】
また、分析装置３０１においては、図１７のステップＳ４に示す警告処理として、表示部１９が警告を表示出力する場合について説明したが、分析装置３０１が音声等を出力する出力手段を備えている場合には、反応容器から反応液および洗浄液があふれた旨を報知する警告音声を出力してもよい。
【００６０】
（実施の形態４）
つぎに、実施の形態４について説明する。図１８は、実施の形態４にかかる分析装置の概略構成図である。図１８に示すように、実施の形態４にかかる分析装置４０１は、図１３に示す内蓋３２１に代えて、内蓋４２１を備える。また、分析装置４０１は、図１３に示す分析装置３０１と比して排出溝２２を削除した構成を有する。また、分析装置４０１は、図１３に示す分析装置３０１と比して吸引装置４２４をさらに備えた構成を有する。なお、制御部１６は、吸引装置４２４の制御も行う。
【００６１】
つぎに、図１９および図２０を参照して、内蓋４２１、検出装置３２３および吸引装置４２４について説明する。図１９は、図１８に示す分析装置の回転テーブル、内蓋、洗浄装置、検出装置および吸引装置を拡大した平面図である。図２０は、図１９に示す回転テーブルおよび内蓋の断面図である。図２０には、説明のため、検出装置３２３、吸引装置４２４、制御部１６および表示部１９についても記載する。
【００６２】
図１９および図２０に示すように、内蓋４２１は、実施の形態３にかかる内蓋３２１に比して、外周領域Ｓｋにおいては溝３２１ｈを削除し凹部３２１ｇのみを有する蓋部４２１ｃを備える。図２０に示すように、吸引装置４２４は、凹部３２１ｇに溜まった反応液および洗浄液を吸引するノズル４２４ａと、ノズル４２４ａが吸引した反応液および洗浄液を図示しない外部の排出部に導くチューブ４２４ｂを有する。吸引装置４２４は、検出装置３２３が、凹部３２１ｇに反応液および洗浄液が溜まり反応容器７から反応液および洗浄液があふれたことを検出した場合、凹部３２１ｇに溜まった反応液および洗浄液を吸引する。
【００６３】
図２０に示すように、反応容器７から開口部２１ｂを介して内蓋４２１上にあふれた反応液や洗浄液は、領域Ｓｈの壁に阻まれることによって、内蓋４２１の内周側ではなく内蓋２１の外周側に流れる。そして、反応容器７からあふれた反応液や洗浄液は、仕切り２１ａに阻害されて隣り合う反応容器７内に侵入することなく、図２０の矢印Ｙｌに示すように、凹部３２１ｇ内に導かれる。そして、凹部３２１ｇ内に溜まった反応液および洗浄液は、矢印Ｙｍに示すように吸引装置４２４のノズル４２４ａによって吸引され、矢印Ｙｎに示すようにチューブ４２４ｂを介して外部に排出される。
【００６４】
つぎに、分析装置４０１において、反応容器から反応液および洗浄液があふれた場合の処理動作について、図２１を参照して説明する。まず、図２１に示すように、制御部１６は、図１７に示すステップＳ２と同様に、検出装置３２３が反応容器７からの反応液および洗浄液のあふれを検出したか否かを判断する（ステップＳ１２）。制御部１６は、検出装置３２３が反応容器７からの反応液および洗浄液のあふれを検出するまでステップＳ１２の判断を繰り返す。そして、検出装置３２３が反応容器７からの反応液および洗浄液のあふれを検出したと判断した場合（ステップＳ１２：Ｙｅｓ）、図１７に示すステップＳ４と同様に、表示部１９は、制御部１６の制御のもと、反応容器から反応液および洗浄液があふれたことを示す警告を表示出力する警告処理を行う（ステップＳ１４）。そして、吸引装置４２４は、凹部３２１ｇに溜まった反応液および洗浄液を吸引して外部に排出する吸引処理を行う（ステップＳ１６）。なお、制御部１６は、ステップＳ１６終了後、ステップＳ１２に戻り、ステップＳ１２における判断処理を行ってもよい。
【００６５】
このように、実施の形態４にかかる分析装置４０１は、凹部３２１ｇに溜まった反応液および洗浄液を吸引し外部に排出する吸引装置４２４を備えることによって、反応容器７からあふれた反応液および洗浄液を外部に排出することができ、反応容器７から反応液および洗浄液があふれたこと示す警告を出力するため、実施の形態１および実施の形態３と同様の効果を奏する。
【００６６】
なお、実施の形態４にかかる分析装置４０１として、検出装置３２３と吸引装置４２４との双方を備えた場合について説明したが、これに限らず、検出装置３２３を削除した構成であってもよい。この場合、吸引装置４２４は、凹部３２１ｇに溜まった液体を、常時吸引および排出してもよく、また、所定時間ごとに吸引および排出してもよい。この場合も、反応容器７からあふれた反応液および洗浄液を外部に排出することが可能になる。
【００６７】
また、回転テーブル６が所定数の反応容器を収納するとともに分析装置１，３０１，４０１に着脱可能である複数のホルダユニットによって構成される場合、実施の形態１〜４において説明した内蓋２１，２２１，３２１，４２１は、このホルダユニットに対応する大きさを有する複数の内蓋ユニットによって構成されてもよい。図２２は、たとえば、実施の形態１にかかる内蓋２１を構成する内蓋ユニット２１Ａについて示す。図２２に示すように、回転テーブル６に着脱可能であり所定数の反応容器７を収納するホルダユニット６ｆは、各反応容器７の光照射領域に対応させて測光装置１０からの測定光が通過する窓６ｇを備える。そして、内蓋ユニット２１Ａは、ホルダユニット６ｆの上面の大きさに対応した大きさであって、ホルダユニット６ｆに収納される反応容器の数量に対応させた開口部２１ｂおよび仕切り２１ａを有する蓋部を備える。内蓋ユニット２１Ａは、内蓋２１と同様に、壁を有する領域Ｓｈおよび下方に向かう傾斜を有する領域Ｓｐを備え、ねじ２１ｅによってねじ穴２１ｄおよびホルダユニット６ｆにおけるねじ穴を介してホルダユニット６ｆにねじ締結される。
【００６８】
また、内蓋２１，２２１，３２１，４２１または内蓋ユニット２１Ａを、ねじ２１ｅによって天板６ｂまたはホルダユニット６ｆに取り付けるほか、蝶つがいなどの金具によって天板６ｂまたはホルダユニット６ｆに取り付けてもよい。さらに、内蓋３２１および内蓋４２１は、実施の形態２における弾性体２２１ｆ，２２１ｆａ，２２１ｆｂをさらに備え、反応容器７からあふれた反応液および洗浄液を確実に外部に排出してもよい。
【００６９】
また、実施の形態１〜４においては、ヒーターによる熱を反応容器に伝導するドライバス形式の恒温槽を使用した場合について説明したが、もちろんこれに限らず、所定温度の恒温液を恒温槽内に封入する場合および所定温度の恒温液中に反応容器を直接浸漬して反応容器の反応液を保温するウォーターバス形式の恒温槽を使用した場合も同様に、反応容器からあふれた反応液および洗浄液の拡散を防止することができる。
【図面の簡単な説明】
【００７０】
【図１】実施の形態１にかかる分析装置の概略構成図である。
【図２】図１に示す分析装置の回転テーブル、洗浄装置、内蓋および排水溝を拡大した平面図である。
【図３】図１および図２に示す回転テーブルおよび内蓋の一部を拡大して示す斜視図である。
【図４】図４は、図２に示すＸ１−Ｘ１線に沿った断面図である。
【図５】図５は、図１に示す内蓋および排水溝の一部を拡大して示す平面図である。
【図６】従来技術にかかる分析装置における回転テーブルの断面図である。
【図７】従来技術にかかる分析装置における回転テーブルの断面図である。
【図８】実施の形態２にかかる分析装置の回転テーブル、洗浄装置、内蓋および排水溝を拡大した平面図である。
【図９】図８に示すＸ２−Ｘ２線に沿った断面図である。
【図１０】図９に示す弾性体の平面図である。
【図１１】図９に示す弾性体の他の例を示す平面図である。
【図１２】図９に示す弾性体の他の例を示す平面図である。
【図１３】実施の形態３にかかる分析装置の概略構成図である。
【図１４】図１３に示す分析装置の回転テーブル、洗浄装置、内蓋および排水溝を拡大した平面図である。
【図１５】図１４に示すＸ３−Ｘ３線に沿った断面図である。
【図１６】図１６は、図１４に示すＸ４−Ｘ４線に沿った断面図である。
【図１７】図１３に示す分析装置における反応容器から反応液および洗浄液があふれた場合の処理手順を示すフローチャートである。
【図１８】実施の形態４にかかる分析装置の概略構成図である。
【図１９】図１８に示す分析装置の回転テーブル、洗浄装置、内蓋、検出装置および吸引装置を拡大した平面図である。
【図２０】図１９に示す回転テーブルおよび内蓋の断面図である。
【図２１】図１８に示す分析装置における反応容器から反応液および洗浄液があふれた場合の処理手順を示すフローチャートである。
【図２２】実施の形態１における内蓋の他の例を説明する斜視図である。
【符号の説明】
【００７１】
１，３０１，４０１  分析装置
２  作業テーブル
３  検体テーブル
３ａ，１３ａ  収納室
４  検体容器
５  検体分注機構
６  回転テーブル
６ａ  ホルダ
６ｂ  天板
６ｃ  恒温槽
６ｄ  ねじ穴
６ｆ  ホルダユニット
６ｇ  窓
７  反応容器
１０  測光装置
１０ａ  光源
１０ｂ  受光部
１１  洗浄装置
１１ａ，１１ｂ，４２４ａ  ノズル
１１ｃ  洗浄液
１２  試薬分注機構
１３  試薬テーブル
１４  試薬容器
１５  読取装置
１６  制御部
１７  分析部
１８  入力部
１９  表示部
２０  攪拌装置
２１，２２１，３２１，４２１  内蓋
２１ａ  仕切り
２１ｂ  開口部
２１ｃ，３２１ｃ，４２１ｃ  蓋部
２１ｄ  ねじ穴
２１ｅ  ねじ
２１Ａ  内蓋ユニット
２２  排水溝
２２ａ  排水口
２２ｂ，４２４ｂ  チューブ
１０６ｃ  恒温液
２２１ｆ，２２１ｆａ，２２１ｆｂ  弾性体
３２１ｇ  凹部
３２１ｈ  溝
３２３  検出装置
３２３ａ，３２３ｂ  電極
４２４  吸引装置
【図１】
2008058250.tif 000003
【図２】
2008058250.tif 000004
【図３】
2008058250.tif 000005
【図４】
2008058250.tif 000006
【図５】
2008058250.tif 000007
【図６】
2008058250.tif 000008
【図７】
2008058250.tif 000009
【図８】
2008058250.tif 000010
【図９】
2008058250.tif 000011
【図１０】
2008058250.tif 000012
【図１１】
2008058250.tif 000013
【図１２】
2008058250.tif 000014
【図１３】
2008058250.tif 000015
【図１４】
2008058250.tif 000016
【図１５】
2008058250.tif 000017
【図１６】
2008058250.tif 000018
【図１７】
2008058250.tif 000019
【図１８】
2008058250.tif 000020
【図１９】
2008058250.tif 000021
【図２０】
2008058250.tif 000022
【図２１】
2008058250.tif 000023
【図２２】
2008058250.tif 000024